(57)【要約】【課題】  ディスク装置及び基板の配置構成により、当該液晶表示装置の小型化・薄型化を図りつつ、異なる画面サイズの液晶表示装置間で、基板の共用化を図れるようにした、ディスク装置を内蔵した液晶表示装置の提供。【解決手段】  ２０インチのＬＣＤ５０において、ＬＣＤモジュールと略並行となるように、メイン制御基板１４を下部の略中央に配置し、ディスク装置１１を左側面の上方に配置し、ディスク装置制御基板１２をディスク装置１１と略水平の位置になるようにディスク装置１１の隣部に配置し、電源回路基板５１を右側面の上方に配置することで、ディスク装置１１・ディスク装置制御基板１２・メイン制御基板１４を、１４インチＬＣＤと同一の物とすることができるようにする。【選択図】      図５
2005267773.tif 000002
【特許請求の範囲】
【請求項１】
光ディスク媒体から信号の読込み若しくは書込み又は読書きを行うディスク装置と、前記ディスク装置の制御・駆動及び前記ディスク装置から入出力される信号の制御を行うディスク装置制御基板と、ＬＣＤモジュールと、外部からの信号の入出力端子を備え且つ前記ＬＣＤモジュールの制御及び映像・音声の信号の処理・制御等を行うメイン制御基板と、これらの構成部品を支持するシャーシとを備えるディスク装置を内蔵した液晶表示装置であって、前記ディスク装置と前記ディスク装置制御基板と前記メイン制御基板とを、前記シャーシの同一面側に前記ＬＣＤモジュールと略並行となるように取付け、且つ、前記ディスク装置を当該液晶表示装置の正面から見て側面側上方に配置し、前記ディスク装置制御基板を前記ディスク装置と略水平の位置になるように前記ディスク装置の隣部に配置し、前記メイン制御基板を当該液晶表示装置の筐体の下部から前記外部入出力端子を引出すことができるように、当該液晶表示装置の正面から見て下部の略中央に配置したことを特徴とするディスク装置を内蔵した液晶表示装置。
【請求項２】
光ディスク媒体から信号の読込み若しくは書込み又は読書きを行うディスク装置と、前記ディスク装置の制御・駆動及び前記ディスク装置から入出力される信号の制御を行うディスク装置制御基板と、ＬＣＤモジュールと、外部からの信号の入出力端子を備え且つ前記ＬＣＤモジュールの制御及び映像・音声の信号の処理・制御等を行うメイン制御基板と、電源回路基板と、これらの構成部品を支持するシャーシとを備えるディスク装置を内蔵した液晶表示装置であって、前記ディスク装置と前記ディスク装置制御基板と前記メイン制御基板と前記電源回路基板とを、前記シャーシの同一面側に前記ＬＣＤモジュールと略並行となるように取付け、且つ、前記ディスク装置を当該液晶表示装置の正面から見て側面側上方に配置し、前記ディスク装置制御基板を前記ディスク装置と略水平の位置になるように前記ディスク装置の隣部に配置し、前記電源回路基板を前記ディスク装置と反対の側面側の上方に配置し、前記メイン制御基板を当該液晶表示装置の筐体の下部から前記外部入出力端子を引出すことができるように、当該液晶表示装置の正面から見て下部の略中央に配置したことを特徴とするディスク装置を内蔵した液晶表示装置。
【請求項３】
請求項２記載のディスク装置を内蔵した液晶表示装置であって、前記電源回路基板に接続される電源コードを、前記電源回路基板の近傍であって、高さが当該液晶表示装置の中央付近である部分から、当該液晶表示装置の筐体の外部に引出したことを特徴とするディスク装置を内蔵した液晶表示装置。
【請求項４】
請求項１記載のディスク装置を内蔵した液晶表示装置であって、前記ＬＣＤモジュールの画面の対角インチ数が、１４インチであることを特徴とするディスク装置を内蔵した液晶表示装置。
【請求項５】
請求項２又は請求項３に記載のディスク装置を内蔵した液晶表示装置であって、前記ＬＣＤモジュールの画面の対角インチ数が、２０インチであることを特徴とするディスク装置を内蔵した液晶表示装置。
【請求項６】
請求項５記載のディスク装置を内蔵した液晶表示装置であって、前記ディスク装置と前記ディスク装置制御基板及び前記メイン制御基板とが、請求項４記載のディスク装置を内蔵した液晶表示装置に備えられる前記ディスク装置と前記ディスク装置制御基板及び前記メイン制御基板と同一であることを特徴とするディスク装置を内蔵した液晶表示装置。
【発明の詳細な説明】
【技術分野】
【０００１】
本発明は、ディスク装置を内蔵した液晶表示装置に関するものであり、特に、ディスク装置及び基板の配置構成により、当該液晶表示装置の小型化・薄型化、及び、異なる画面サイズの液晶表示装置間で、基板の共用化を図れるようにしたディスク装置を内蔵した液晶表示装置に関する。
【背景技術】
【０００２】
液晶表示装置は、ブラウン管表示装置に比べて、小型（薄型）・軽量であると共に省電力であるという利点を有するため普及が進み、ブラウン管表示装置に替わるものとなってきている。このような動きは近年の、液晶表示装置の表示画面の大型化に伴ってさらに拍車がかかるものとなっている。又、ＤＶＤ等の光ディスク媒体への記録・再生を行うディスク装置を内蔵した液晶テレビも登場し、従来のＶＣＲ内蔵のブラウン管テレビ等に替わるものとなりつつある。
【０００３】
このようなディスク装置を内蔵した液晶テレビに関する従来技術が特許文献１及び特許文献２などによって開示されている。
【０００４】
【特許文献１】特開２００１−３３２０７４号公報
【特許文献２】特開２００１−２５６７６８号公報
【発明の開示】
【発明が解決しようとする課題】
【０００５】
上記したごとく、液晶表示装置の優れる点として機器の薄型化が可能なことが上げられる。従って、液晶表示装置にディスク装置を内蔵させた場合にも薄型化を阻害することなく構成させると共に、異なる画面サイズの製品間において、可能な限り構成部品（各種基板など）を共通化し、製造コストを下げたいという要請があった。
【０００６】
本発明は、ディスク装置及び基板の配置構成により、当該液晶表示装置の小型化・薄型化を図りつつ、異なる画面サイズの液晶表示装置間で、基板の共用化を図れるようにした、ディスク装置を内蔵した液晶表示装置を提供することを目的とする。
【課題を解決するための手段】
【０００７】
請求項１のディスク装置を内蔵した液晶表示装置は、光ディスク媒体から信号の読込み若しくは書込み又は読書きを行うディスク装置と、前記ディスク装置の制御・駆動及び前記ディスク装置から入出力される信号の制御を行うディスク装置制御基板と、ＬＣＤモジュールと、外部からの信号の入出力端子を備え且つ前記ＬＣＤモジュールの制御及び映像・音声の信号の処理・制御等を行うメイン制御基板と、これらの構成部品を支持するシャーシとを備えるディスク装置を内蔵した液晶表示装置であって、前記ディスク装置と前記ディスク装置制御基板と前記メイン制御基板とを、前記シャーシの同一面側に前記ＬＣＤモジュールと略並行となるように取付け、且つ、前記ディスク装置を当該液晶表示装置の正面から見て側面側上方に配置し、前記ディスク装置制御基板を前記ディスク装置と略水平の位置になるように前記ディスク装置の隣部に配置し、前記メイン制御基板を当該液晶表示装置の筐体の下部から前記外部入出力端子を引出すことができるように、当該液晶表示装置の正面から見て下部の略中央に配置したことを特徴とする。
【０００８】
上記構成によれば、シャーシ上（同一平面上）に、ディスク装置とディスク装置制御基板とメイン制御基板とが、ＬＣＤモジュールと略並行となるように（すなわち、縦置きに）配置され、液晶表示装置の奥行き方向にこれらの構成部品が重なる部分がない。
【０００９】
請求項２のディスク装置を内蔵した液晶表示装置は、光ディスク媒体から信号の読込み若しくは書込み又は読書きを行うディスク装置と、前記ディスク装置の制御・駆動及び前記ディスク装置から入出力される信号の制御を行うディスク装置制御基板と、ＬＣＤモジュールと、外部からの信号の入出力端子を備え且つ前記ＬＣＤモジュールの制御及び映像・音声の信号の処理・制御等を行うメイン制御基板と、電源回路基板と、これらの構成部品を支持するシャーシとを備えるディスク装置を内蔵した液晶表示装置であって、前記ディスク装置と前記ディスク装置制御基板と前記メイン制御基板と前記電源回路基板とを、前記シャーシの同一面側に前記ＬＣＤモジュールと略並行となるように取付け、且つ、前記ディスク装置を当該液晶表示装置の正面から見て側面側上方に配置し、前記ディスク装置制御基板を前記ディスク装置と略水平の位置になるように前記ディスク装置の隣部に配置し、前記電源回路基板を前記ディスク装置と反対の側面側の上方に配置し、前記メイン制御基板を当該液晶表示装置の筐体の下部から前記外部入出力端子を引出すことができるように、当該液晶表示装置の正面から見て下部の略中央に配置したことを特徴とする。
【００１０】
上記構成によれば、シャーシ上（同一平面上）に、ディスク装置とディスク装置制御基板とメイン制御基板と電源回路基板とが、ＬＣＤモジュールと略並行となるように（すなわち、縦置きに）配置され、液晶表示装置の奥行き方向にこれらの構成部品が重なる部分がない。
【００１１】
請求項３のディスク装置を内蔵した液晶表示装置は、請求項２記載のディスク装置を内蔵した液晶表示装置であって、前記電源回路基板に接続される電源コードを、前記電源回路基板の近傍であって、高さが当該液晶表示装置の中央付近である部分から、当該液晶表示装置の前記筐体の外部に引出したことを特徴とする。
【００１２】
上記構成によれば、商用電源に接続される電源コードが、電源回路基板の近傍付近まで、当該液晶表示装置の筐体の外部にあり、筐体内における電源コードの長さが短いものとなる。
【００１３】
請求項４のディスク装置を内蔵した液晶表示装置は、請求項１記載のディスク装置を内蔵した液晶表示装置であって、前記ＬＣＤモジュールの画面の対角インチ数が、１４インチであることを特徴とする。
【００１４】
請求項５のディスク装置を内蔵した液晶表示装置は、請求項２又は請求項３に記載のディスク装置を内蔵した液晶表示装置であって、前記ＬＣＤモジュールの画面の対角インチ数が、２０インチであることを特徴とする。
【００１５】
請求項６のディスク装置を内蔵した液晶表示装置は、請求項５記載のディスク装置を内蔵した液晶表示装置であって、前記ディスク装置と前記ディスク装置制御基板及び前記メイン制御基板とが、請求項４記載のディスク装置を内蔵した液晶表示装置に備えられる前記ディスク装置と前記ディスク装置制御基板及び前記メイン制御基板と同一であることを特徴とする。
【００１６】
上記構成によれば、１４インチのディスク装置を内蔵した液晶表示装置と２０インチのディスク装置を内蔵した液晶表示装置との、ディスク装置とディスク装置制御基板及びメイン制御基板が同一のものとなる。
【発明の効果】
【００１７】
本発明の請求項１の、光ディスク媒体から信号の読込み若しくは書込み又は読書きを行うディスク装置と、前記ディスク装置の制御・駆動及び前記ディスク装置から入出力される信号の制御を行うディスク装置制御基板と、ＬＣＤモジュールと、外部からの信号の入出力端子を備え且つ前記ＬＣＤモジュールの制御及び映像・音声の信号の処理・制御等を行うメイン制御基板と、これらの構成部品を支持するシャーシとを備えるディスク装置を内蔵した液晶表示装置であって、前記ディスク装置と前記ディスク装置制御基板と前記メイン制御基板とを、前記シャーシの同一面側に前記ＬＣＤモジュールと略並行となるように取付け、且つ、前記ディスク装置を当該液晶表示装置の正面から見て側面側上方に配置し、前記ディスク装置制御基板を前記ディスク装置と略水平の位置になるように前記ディスク装置の隣部に配置し、前記メイン制御基板を当該液晶表示装置の筐体の下部から前記外部入出力端子を引出すことができるように、当該液晶表示装置の正面から見て下部の略中央に配置したことを特徴とするディスク装置を内蔵した液晶表示装置によれば、同一平面上に、ディスク装置とディスク装置制御基板とメイン制御基板とが、ＬＣＤモジュールと略並行となるように配置され、液晶表示装置の奥行き方向にこれらの構成部品が重なる部分がないため、当該液晶表示装置を可及的に薄型化できる。又、ディスク装置とディスク装置制御基板とが、略水平の位置になるように近傍に配置されるため、双方を電気的に接続するフラットケーブル等の取り回しが容易である。また、フラットケーブルを短くすることができるため、当該フラットケーブルが他の構成部品に接触すること等による不具合や、フラットケーブルへの雑音の影響などを低減させることができる。
【００１８】
本発明の請求項２の、光ディスク媒体から信号の読込み若しくは書込み又は読書きを行うディスク装置と、前記ディスク装置の制御・駆動及び前記ディスク装置から入出力される信号の制御を行うディスク装置制御基板と、ＬＣＤモジュールと、外部からの信号の入出力端子を備え且つ前記ＬＣＤモジュールの制御及び映像・音声の信号の処理・制御等を行うメイン制御基板と、電源回路基板と、これらの構成部品を支持するシャーシとを備えるディスク装置を内蔵した液晶表示装置であって、前記ディスク装置と前記ディスク装置制御基板と前記メイン制御基板と前記電源回路基板とを、前記シャーシの同一面側に前記ＬＣＤモジュールと略並行となるように取付け、且つ、前記ディスク装置を当該液晶表示装置の正面から見て側面側上方に配置し、前記ディスク装置制御基板を前記ディスク装置と略水平の位置になるように前記ディスク装置の隣部に配置し、前記電源回路基板を前記ディスク装置と反対の側面側の上方に配置し、前記メイン制御基板を当該液晶表示装置の筐体の下部から前記外部入出力端子を引出すことができるように、当該液晶表示装置の正面から見て下部の略中央に配置したことを特徴とするディスク装置を内蔵した液晶表示装置によれば、同一平面上に、ディスク装置とディスク装置制御基板とメイン制御基板と電源回路基板とが、ＬＣＤモジュールと略並行となるように配置され、液晶表示装置の奥行き方向にこれらの構成部品が重なる部分がないため、当該液晶表示装置を可及的に薄型化できる。
【００１９】
本発明の請求項３の、請求項２記載のディスク装置を内蔵した液晶表示装置であって、前記電源回路基板に接続される電源コードを、前記電源回路基板の近傍であって、高さが当該液晶表示装置の中央付近である部分から、当該液晶表示装置の筐体の外部に引出したことを特徴とするディスク装置を内蔵した液晶表示装置によれば、商用電源に接続される電源コードが、電源回路基板の近傍付近まで当該液晶表示装置の筐体の外部にあり、筐体内における電源コードの長さが短いものとなるため、筐体内に備えられる各基板上の回路への、当該電源コードから発せられる雑音による影響を低減させることができる。
【００２０】
本発明の請求項６の、請求項５記載のディスク装置を内蔵した液晶表示装置であって、前記ディスク装置と前記ディスク装置制御基板及び前記メイン制御基板とが、請求項４記載のディスク装置を内蔵した液晶表示装置に備えられる前記ディスク装置と前記ディスク装置制御基板及び前記メイン制御基板と同一であることを特徴とするディスク装置を内蔵した液晶表示装置によれば、１４インチのディスク装置を内蔵した液晶表示装置と２０インチのディスク装置を内蔵した液晶表示装置との、ディスク装置とディスク装置制御基板及びメイン制御基板が同一のものとすることができるため、部品の設計・製造・管理コストの削減がなされ、当該液晶表示装置の製造コストの削減をすることができる。
【発明を実施するための最良の形態】
【００２１】
以下、本発明の具体的実施例について、図面を参照しながら説明する。なお、以下の実施態様は、本発明を具体化する際の一形態であって、本発明をその範囲内に限定するためのものではない。
【実施例１】
【００２２】
図１は本実施例のディスク装置を内蔵した液晶表示装置の斜視図であり、図２は同背面図、図３は当該液晶表示装置に備えられる各構成部品の配置が分かるように図２の一部を透過的に示した背面透過図であり、図４は当該液晶表示装置の構成の概略を示すための分解斜視図である。
【００２３】
本実施例のディスク装置を内蔵した液晶表示装置１０（以下単にＬＣＤ１０）は、図３及び図４に示されるように、ディスク装置１１、ディスク装置制御基板１２、ＬＣＤモジュール１３、メイン制御基板１４、シャーシ１５、スピーカー１６等を筐体１７の内部に備え、ＬＣＤ１０を支持するための脚部１８が支持部１８ａによってシャーシ１５に取り付けられる。
【００２４】
ディスク装置１１は、光ディスク媒体２０の半径方向に往復移動するピックアップユニット１１ａなどを備えることにより、光ディスク媒体２０からの信号の読込み若しくは書込み又は読書きを行うものであり、ディスク装置制御基板１２は、ディスク装置１１に備えられる駆動モータ等の制御又はピックアップユニット１１ａから入出力される信号の制御などを行う基板である。ＬＣＤモジュール１３は、表示装置である液晶パネル及び当該液晶パネルを制御・駆動する液晶パネル駆動回路、光源であるバックライト及び当該バックライトを制御・駆動するインバータ回路などを備えるものであり、本実施例のＬＣＤ１０の画面の対角インチ数は１４インチである。
【００２５】
メイン制御基板１４は、ＬＣＤモジュール１３の制御及び映像・音声の信号の処理・制御等を行うものであり、外部からの信号の入出力端子であるコンポジット映像端子１４ａ・音声入力端子１４ｂ・Ｓ端子（セパレート端子）１４ｃ・コンポーネント映像端子１４ｄ・デジタル音声出力端子１４ｅ・アナログＲＧＢ端子１４ｆ、及びチューナー１４ｇなどを備える。電源は図示しないアダプタ等を介してＤＣ入力端子１４ｈに接続されることによりメイン制御基板１４に入力される。なお、メイン制御基板１４及びディスク装置制御基板１２は図では簡単化しているが、構造的には回路パターンが印刷されたプリント基板上に種々の電気・電子部品などが実装されたものである。
【００２６】
図４に示されるように、ＬＣＤ１０の筐体１７内の構成部品であるＬＣＤモジュール１３はシャーシ１５に取り付けられることにより支持され、ディスク装置１１とディスク装置制御基板１２とメイン制御基板１４とは、シャーシ１５のＬＣＤモジュール１３が取り付けられた面と反対側の面に、シャーシ１５及びＬＣＤモジュール１３と略並行に取り付けられることにより支持される。図２及び図３に示されるように、メイン制御基板１４には、種々の入出力端子（コンポジット映像端子１４ａ等）が備えられ、これらの端子を筐体１７の下部から外部に引出すことができるように、メイン制御基板１４は、ＬＣＤ１０を背面から見て下部の略中央となるように配置される。ディスク装置１１は、光ディスク媒体２０の出し入れの操作性を考慮し、光ディスク媒体挿入口１１ｂが筐体１７の側面に接するように、ＬＣＤ１０を背面からみた状態で、左側面の上方に位置するように配置される。ディスク装置制御基板１２は、ディスク装置１１との接続をするためのフレキシブルフラットケーブル１２ａが直線的で且つ短くなるように、ディスク装置１１と略水平の位置になるようにディスク装置１１の隣部に配置される。なお、図では簡単化され省略されているが、メイン制御基板１４と、ディスク装置制御基板１２及びＬＣＤモジュール１３は電気的に接続され、ディスク装置制御基板１２やＬＣＤモジュール１３等はメイン制御基板１４から電源供給されると共に、相互に各種信号（映像信号や制御信号など）の入出力がなされるものである。
【００２７】
上記構成のＬＣＤ１０によれば、同一平面上に、ディスク装置１１とディスク装置制御基板１２とメイン制御基板１４とが、ＬＣＤモジュール１３と略並行となるように配置され、ＬＣＤ１０の奥行き方向にこれらの構成部品が重なる部分がないため、ＬＣＤ１０を可及的に薄型化できる。また、ディスク装置１１とディスク装置制御基板１２とが隣接しているため、フレキシブルフラットケーブル１２ａの取り回しが容易であると共にフレキシブルフラットケーブル１２ａへの雑音の影響などを低減させることができる。
【実施例２】
【００２８】
図５は本実施例のディスク装置を内蔵した液晶表示装置に備えられる各構成部品の配置が分かるように一部を透過的に示した背面透過図であり、図６は当該液晶表示装置の電源コード引出し部分を示す背面斜視図、図７は当該液晶表示装置の構成の概略を示すための分解斜視図である。
【００２９】
本実施例のディスク装置を内蔵した液晶表示装置５０（以下単にＬＣＤ５０）は、図５及び図７に示されるように、ディスク装置１１、ディスク装置制御基板１２、ＬＣＤモジュール５３、メイン制御基板１４、電源回路基板５１、シャーシ５５、スピーカー５６等を筐体５７の内部に備え、ＬＣＤ５０を支持するための脚部５８が支持部５８ａによってシャーシ５５に取り付けられる。
【００３０】
ＬＣＤモジュール５３は、表示装置である液晶パネル及び当該液晶パネルを制御・駆動する液晶パネル駆動回路、光源であるバックライト及び当該バックライトを制御・駆動するインバータ回路などを備えるものであり、本実施例のＬＣＤ５０の画面の対角インチ数は２０インチである。
【００３１】
本実施例の２０インチＬＣＤ５０に備えられる、ディスク装置１１、ディスク装置制御基板１２、及びメイン制御基板１４は、実施例１の１４インチＬＣＤ１０と同一のものである。電源回路基板５１は商用電源電圧の整流・平滑及び降圧を行うものであり、電源コンセントに接続される電源コード５１ａが接続される。
【００３２】
図７に示されるように、ＬＣＤ５０の筐体５７内の構成部品であるＬＣＤモジュール５３はシャーシ５５に取り付けられることにより支持され、ディスク装置１１とディスク装置制御基板１２とメイン制御基板１４と電源回路基板５１とは、シャーシ５５のＬＣＤモジュール５３が取り付けられた面と反対側の面に、シャーシ５５及びＬＣＤモジュール５３と略並行に取り付けられることにより支持される。入出力端子（コンポジット映像端子１４ａ等）を筐体５７の下部から外部に引出すことができるように、メイン制御基板１４は、ＬＣＤ５０を背面から見て下部の略中央となるように配置される。ディスク装置１１は、光ディスク媒体挿入口１１ｂが筐体５７の側面に接するように、ＬＣＤ５０を背面からみた状態で、左側面の上方に位置するように配置される。ディスク装置制御基板１２は、ディスク装置１１と略水平の位置になるようにディスク装置１１の隣部に配置される。電源回路基板５１は、ＬＣＤ５０を背面からみた状態で、右側面の上方に位置するように配置される。なお、図では簡単化され省略されているが、メイン制御基板１４と、ディスク装置制御基板１２及びＬＣＤモジュール１３及び電源回路基板５１は電気的に接続され、メイン制御基板１４には電源回路基板５１から電源供給され、ディスク装置制御基板１２やＬＣＤモジュール１３等はメイン制御基板１４から電源供給されると共に、相互に各種信号（映像信号や制御信号など）の入出力がなされるものである。
【００３３】
図５及び図６に示されるように、電源回路基板５１に接続される電源コード５１ａは、筐体５７の電源コード引出し部５７ａから、筐体５７の外部に引出される。電源コード引出し部５７ａは、電源回路基板５１と電源コード５１ａとの接続部分の近傍となるように構成される。
【００３４】
上記構成のＬＣＤ５０によれば、同一平面上に、ディスク装置１１とディスク装置制御基板１２とメイン制御基板１４と電源回路基板５１とが、ＬＣＤモジュール５３と略並行となるように配置され、ＬＣＤ５０の奥行き方向にこれらの構成部品が重なる部分がないため、ＬＣＤ５０を可及的に薄型化できる。また、ディスク装置１１とディスク装置制御基板１２及びメイン制御基板１４とが、１４インチＬＣＤの物と同一のものであるため、これらの基板の設計・製造・管理コストの削減がなされ、当該液晶表示装置の製造コストの削減をすることができる。尚且つ、これら基板の相対位置も同一或いはほぼ同一であるので、接続ケーブルなどの取り回しや、作業性（１４インチＬＣＤと２０インチＬＣＤの製造作業が同様のものとなる）にも優れる。
【００３５】
また、商用電源に接続される電源コード５１ａが、電源回路基板５１の近傍付近に至るまでＬＣＤ５０の筐体５７の外部にあり、筐体５７内における電源コード５１ａの長さが短いものとなるため、筐体５７内に備えられる各基板上の回路への、当該電源コード５７から発せられる雑音による影響を低減させることができる。
【００３６】
なお、本実施例においては２０インチのＬＣＤを例として採用したが、１４インチのＬＣＤとの、ディスク装置及びディスク装置制御基板及びメイン制御基板の共用化という観点によれば、１５インチ・１７インチ・１７インチワイド等のＬＣＤにも適用できることは自明のことである。また、１４インチのＬＣＤは携帯性を有するため、車中等における使用をも考慮しアダプタを介したＤＣ電源入力としており、一方、２０インチの場合はバックライトの消費電力の増加などにより電流が増加し、アダプタでは発熱などの問題が生じるため、電源回路基板を内蔵させることとしているため、両者はこの部分で異なる構成となっているが、例えば１７インチワイドのＬＣＤに電源回路基板を内蔵させる場合には、これを共用化することで、ディスク装置・ディスク装置制御基板・メイン制御基板・電源回路基板を全て同じ構成とすることができる。
【図面の簡単な説明】
【００３７】
【図１】実施例１のディスク装置を内蔵した液晶表示装置の斜視図
【図２】実施例１のディスク装置を内蔵した液晶表示装置の同背面図
【図３】実施例１のディスク装置を内蔵した液晶表示装置の一部を透過的に示した背面透過図
【図４】実施例１のディスク装置を内蔵した液晶表示装置の一部の分解斜視図
【図５】実施例２のディスク装置を内蔵した液晶表示装置の一部を透過的に示した背面透過図
【図６】実施例２のディスク装置を内蔵した液晶表示装置の電源コード引出し部分を拡大した背面斜視図
【図７】実施例２のディスク装置を内蔵した液晶表示装置の一部の分解斜視図
【符号の説明】
【００３８】
１０、５０  ディスク装置を内蔵した液晶表示装置
１１  ディスク装置
１２  ディスク装置制御基板
１３、５３  ＬＣＤモジュール
１４  メイン制御基板
１４ａ〜１４ｆ  入出力端子
１５、５５  シャーシ
１７、５７  筐体
２０  光ディスク媒体
５１  電源回路基板
５１ａ  電源コード
【図１】
2005267773.tif 000003
【図２】
2005267773.tif 000004
【図３】
2005267773.tif 000005
【図４】
2005267773.tif 000006
【図５】
2005267773.tif 000007
【図６】
2005267773.tif 000008
【図７】
2005267773.tif 000009